(57)【要約】【課題】本発明は、制御盤に対する保守点検作業の作業性を向上させることができるエレベータ装置を得ることを目的とするものである。【解決手段】制御盤８は、制御盤支持台７上にほぼ鉛直に立設された通常位置と、ほぼ水平に倒された保守点検位置との間で回動可能になっている。保守対象機器に対する保守点検作業は、制御盤８の保守点検面８ａ側から行われる。保守点検面８ａは、制御盤８が通常位置にあるとき筐体１１の背面に位置し、制御盤８が設置された昇降路壁１ａに対向する。また、保守点検面８ａは、制御盤８が保守点検位置にあるとき筐体１１の上面に位置し、上方へ向けられる。【選択図】図３
2012171756.tif 000002
【特許請求の範囲】
【請求項１】
昇降路内を昇降されるかご、及び
昇降路壁に取り付けられており、かつ保守対象機器が収容されており、保守点検面側から前記保守対象機器に対する保守点検作業が行われる制御盤
を備え、
前記制御盤は、前記保守点検面を前記昇降路壁に対向させた通常位置と、前記保守点検面を上方へ向けた保守点検位置との間で回動可能に前記昇降路壁に取り付けられていることを特徴とするエレベータ装置。
【請求項２】
前記昇降路を真上から見たとき、前記制御盤は、前記通常位置では前記かごの領域外に位置し、前記保守点検位置では前記かごと部分的に重なることを特徴とする請求項１記載のエレベータ装置。
【請求項３】
前記昇降路壁に固定された制御盤保持腕、及び
前記制御盤保持腕と前記制御盤との間に連結されており、前記保守点検位置から前記通常位置とは反対方向への前記制御盤の回動を規制する回動規制手段
をさらに備えていることを特徴とする請求項１又は請求項２に記載のエレベータ装置。
【請求項４】
前記回動規制手段は、外筒と前記外筒に挿入された内筒とを有する伸縮可能な緩衝器であることを特徴とする請求項３記載のエレベータ装置。
【請求項５】
前記保守点検面には、開閉可能なカバーが設けられていることを特徴とする請求項１から請求項４までのいずれか１項に記載のエレベータ装置。
【請求項６】
前記制御盤を通常位置にロックするロック手段をさらに備えていることを特徴とする請求項１から請求項５までのいずれか１項に記載のエレベータ装置。
【請求項７】
前記制御盤には、前記保守点検位置に回動させたときに前記かごの上面に接触して操作される安全スイッチが設けられていることを特徴とする請求項１から請求項６までのいずれか１項に記載のエレベータ装置。
【発明の詳細な説明】
【技術分野】
【０００１】
この発明は、制御盤が昇降路内に設置されているエレベータ装置に関するものである。
【背景技術】
【０００２】
従来の機械室を有しないエレベータ装置では、制御盤が支持部材を介して昇降路壁に固定されている。また、制御盤は、かごと干渉しない位置で、特定階の乗場床の高さに合わせて配置されている。これにより、保守点検作業時には、作業員がかご上に乗り、制御盤内の保守対象機器に対する保守点検作業を行う（例えば、特許文献１参照）。
【先行技術文献】
【特許文献】
【０００３】
【特許文献１】特開２００１−８０８３４号公報
【発明の概要】
【発明が解決しようとする課題】
【０００４】
上記のような従来のエレベータ装置では、保守対象機器が上下方向に並べて制御盤内に配置されているため、例えば、作業員の手が届かない高さに配置されている機器を交換する場合、かごを僅かに上昇させる必要があるなど、保守点検作業中にかごを上下に移動させる必要があり、保守点検作業の作業性が悪い。また、交換時に機器を落下させることにより、その機器や周囲の機器を損傷させる恐れがあるため、交換作業をより慎重に行う必要があり、この点からも保守点検作業の作業性が悪い。
【０００５】
この発明は、上記のような課題を解決するためになされたものであり、制御盤に対する保守点検作業の作業性を向上させることができるエレベータ装置を得ることを目的とする。
【課題を解決するための手段】
【０００６】
この発明に係るエレベータ装置は、昇降路内を昇降されるかご、及び昇降路壁に取り付けられており、かつ保守対象機器が収容されており、保守点検面側から保守対象機器に対する保守点検作業が行われる制御盤を備え、制御盤は、保守点検面を昇降路壁に対向させた通常位置と、保守点検面を上方へ向けた保守点検位置との間で回動可能に昇降路壁に取り付けられている。
【発明の効果】
【０００７】
この発明のエレベータ装置は、制御盤が、保守点検面を昇降路壁に対向させた通常位置と、保守点検面を上方へ向けた保守点検位置との間で回動可能になっているため、保守点検面を上方へ向けた状態で保守点検作業を行うことにより、保守点検作業時にかごを上下に繰り返し移動させる必要がなくなり、また、機器を落下させる可能性を低減することができ、制御盤に対する保守点検作業の作業性を向上させることができる。
【図面の簡単な説明】
【０００８】
【図１】この発明の実施の形態１によるエレベータ装置の保守点検作業時の様子を示す構成図である。
【図２】図１の制御盤を拡大して示す側面図である。
【図３】図２の制御盤を保守点検位置に回動させた状態を示す側面図である。
【図４】図１のエレベータ装置における制御盤内の保守点検作業中の状態を示す平面図である。
【発明を実施するための形態】
【０００９】
以下、この発明を実施するための形態について、図面を参照して説明する。
実施の形態１．
図１はこの発明の実施の形態１によるエレベータ装置の保守点検作業時の様子を示す構成図である。図において、昇降路１の上部には、巻上機２が設けられている。巻上機２は、駆動シーブと、駆動シーブを回転させるモータと、駆動シーブの回転を制動するブレーキとを有している。駆動シーブには、懸架手段３が巻き掛けられている。懸架手段３としては、複数本のロープ又は複数本のベルトが用いられている。
【００１０】
かご４及び釣合おもり５は、懸架手段３により昇降路１内に吊り下げられており、巻上機２により昇降路１内を昇降される。昇降路１内には、かご４の昇降を案内する一対のかごガイドレール（図示せず）と、釣合おもり５の昇降を案内する一対の釣合おもりガイドレール６とが設置されている。
【００１１】
昇降路壁１ａには、制御盤支持台７が固定されている。制御盤支持台７上には、制御盤８が支持されている。この例では、制御盤８は、かご４の背面に対向する昇降路壁１ａに設置されている。巻上機２の運転、即ちかご４の運行は、制御盤８によって制御される。制御盤８に対する保守点検作業時には、作業員９がかご４上に乗り、かご４の上面が制御盤支持台７とほぼ同じ高さに位置するようにかご４の上下方向位置を調整する。
【００１２】
図２は図１の制御盤８を拡大して示す側面図、図３は図２の制御盤８を保守点検位置に回動させた状態を示す側面図、図４は図１のエレベータ装置における制御盤８内の保守点検作業中の状態を示す平面図である。制御盤８の下端部は、盤回動機構１０を介して制御盤支持台７に連結されている。盤回動機構１０としては、例えばヒンジ機構が用いられている。
【００１３】
これにより、制御盤８は、制御盤支持台７上にほぼ鉛直に立設された通常位置（図２）と、ほぼ水平に倒された保守点検位置（図３）との間で回動可能になっている。昇降路１を真上から見たとき、制御盤８は、通常位置ではかご４の領域外に位置し、保守点検位置ではかご４と部分的に重なる。通常運転時には、制御盤８は、通常位置に位置し、かご４と干渉しない。
【００１４】
制御盤８は、筐体１１と、筐体１１内に収容された複数の機器とを有している。筐体１１内の機器には、複数の保守対象機器が含まれている。保守対象機器に対する保守点検作業は、制御盤８の保守点検面８ａ側から行われる。
【００１５】
保守点検面８ａは、制御盤８が通常位置にあるとき筐体１１の背面に位置し、制御盤８が設置された昇降路壁１ａに対向する。また、保守点検面８ａは、制御盤８が保守点検位置にあるとき筐体１１の上面に位置し、上方へ向けられる。
【００１６】
筐体１１の保守点検面８ａ側には、開口と、開口を開閉するカバー（扉カバー）１２とが設けられている。保守点検作業時には、制御盤８を図２の矢印Ａ方向（かご４側）へ保守点検位置まで回動させた後、カバー１２を図３の矢印Ｂ方向へ回動させて開口を開放する。これにより、保守対象機器に対する保守点検作業は、筐体１１の開口を通して行われる。
【００１７】
筐体１１の保守点検面８ａとは反対側の面には、複数の吸気口１１ａと、複数の排気口１１ｂとが設けられている。排気口１１ｂは、吸気口１１ａよりも上方に配置されている。筐体１１内に収容された機器には、インバータ１３、インバータ１３を冷却するファン１４、及びその他の電気機器１５ａ〜１５ｄが含まれている。
【００１８】
筐体１１内には、ファン１４により吸気口１１ａから排気口１１ｂへ冷却風を流すダクトが形成されており、インバータ１３は、このダクト内に配置され冷却風により冷却される。
【００１９】
制御盤８の通常位置における上端部には、点検用取手１６が固定されている。作業員９は、点検用取手１６を掴んで制御盤８を回動させることができる。制御盤８の通常位置における前面には、安全スイッチ１７が設けられている。かご４の上面には、制御盤８を保守点検位置に回動させたときに安全スイッチ１７が当接するスイッチ操作部１８が設けられている。制御盤８を保守点検位置に回動させると、スイッチ操作部１８により安全スイッチ１７が押圧操作され、制御盤８の主電源が遮断される。
【００２０】
昇降路壁１ａには、一対の制御盤保持腕１９が固定されている。制御盤保持腕１９は、制御盤８の幅方向（図４の左右方向）両側に位置するように互いに間隔をおいて配置されている。制御盤８の幅方向両端面には、一対の緩衝器取付金２０が固定されている。
【００２１】
制御盤保持腕１９と緩衝器取付金２０との間には、伸縮可能な一対の緩衝器（ステー）２１が回動可能に連結されている。緩衝器２１は、外筒と外筒に挿入された内筒とを有しており、保守点検位置から通常位置とは反対方向への制御盤８の回動を規制する。即ち、緩衝器２１は、回動規制手段として機能する。
【００２２】
各制御盤保持腕１９と制御盤８の上部との間には、制御盤８を通常位置にロックするロック手段としてのラッチ錠２２が設けられている。これらのラッチ錠２２を解錠することにより、通常位置からの制御盤８の回動が可能になる。
【００２３】
なお、制御盤８の通常位置における上下方向寸法（高さ寸法）は、制御盤８の幅寸法よりも小さくなっているとともに、かご４上から点検用取手１６に作業員９の手が届く範囲となっている。また、制御盤８は、かご４の幅方向寸法の範囲内で、かつかご４上の作業員９により筐体１１内を操作可能な範囲内に配置されている。
【００２４】
このようなエレベータ装置では、制御盤８が、保守点検面８ａを昇降路壁１ａに対向させた通常位置と、保守点検面８ａを上方へ向けた保守点検位置との間で回動可能になっているため、保守点検面８ａを上方へ向けた状態で保守点検作業を行うことにより、保守点検作業時にかご４を上下に繰り返し移動させる必要がなくなり、また、機器を落下させる可能性を低減することができ、制御盤８に対する保守点検作業の作業性を向上させることができる。
【００２５】
また、昇降路１を真上から見たとき、制御盤８は、通常位置ではかご４の領域外に位置し、保守点検位置ではかご４と部分的に重なるので、制御盤８をかご４の上下方向への移動範囲内に配置することができ、昇降路１の上下方向寸法を抑えることができるとともに、保守点検作業時にかご４上から制御盤８までの距離を小さくして、作業性を向上させることができる。
【００２６】
さらに、保守点検位置から通常位置とは反対方向への制御盤８の回動が緩衝器２１により規制されるので、制御盤８が回動し過ぎるのを防止することができる。また、制御盤８を緩やかに回動させることができ、制御盤８の回動操作時に制御盤８内の機器に衝撃が加わるのを防止することができる。
【００２７】
さらにまた、制御盤８を通常位置に保持するラッチ錠２２を用いたので、通常運転時に制御盤８をより確実に通常位置に保持することができる。
また、制御盤８を保守点検位置に回動させたときに安全スイッチ１７が操作されるので、保守点検作業時にかご４が自動運転されるのをより確実に防止することができる。
さらに、通常位置にあるときカバー１２が昇降路壁１ａに対向しているため、通常運転時にカバー１２が開放されるのがより確実に防止される。
さらにまた、制御盤８が通常位置にあるとき、吸気口１１ａ及び排気口１１ｂが昇降路壁１ａとは反対側に配置されているため、通気性が優れている。
【００２８】
なお、上記の例では、手動により制御盤８を回動させたが、制御盤８の重量が大きい場合には、制御盤８を回動させるモータ等の駆動手段を追加してもよい。
また、緩衝器２１やラッチ錠２２は、場合によっては制御盤８の片側のみに設けてもよい。
さらに、ロック手段は、ラッチ錠２２に限定されるものではない。
さらにまた、上記の例では、かご４の背面に対向する昇降路壁１ａに制御盤８を設置したが、例えばかご４の側面に対向する昇降路壁など、他の昇降路壁に設置してもよい。
また、制御盤８が通常位置に位置すること、又はロック手段により制御盤８が通常位置にロックされたことを検出する通常位置検出手段（通常位置検出スイッチ）を設け、通常位置検出手段により制御盤８が通常位置にあることが検出されていないと通常運転（自動運転）を不可とするようにしてもよい。
さらに、制御盤８を複数の分割制御盤に分割して、昇降路壁１ａの上下方向の同じ位置又は異なる位置に分散配置し、それぞれ通常位置と保守点検位置との間で回動可能としてもよい。
さらにまた、この発明は、かご４の運転を制御する制御装置を収容した制御盤８だけではなく、例えば電子安全装置等を収容した制御盤にも適用できる。
また、この発明は、制御盤８が昇降路壁１ａに設置されていれば、あらゆるタイプのエレベータ装置に適用することができ、ローピング方式、駆動方式及びレイアウト等は、特に限定されるものではない。例えば、ダブルデッキエレベータやマルチカー式エレベータにも、この発明は適用できる。
【符号の説明】
【００２９】
１  昇降路、１ａ  昇降路壁、４  かご、８  制御盤、８ａ  保守点検面、１２  カバー、１７  安全スイッチ、１９  制御盤保持腕、２１  緩衝器（回動規制手段）、２２  ラッチ錠（ロック手段）。
【図１】
2012171756.tif 000003
【図２】
2012171756.tif 000004
【図３】
2012171756.tif 000005
【図４】
2012171756.tif 000006